(57)【特許請求の範囲】
【請求項１】
コンピュータに、製造される仕立て服（Ｍ）と同じ種類のサンプル衣類（Ｃ）と、実際の標準的な寸法（Ｍ７，Ｍ８）を有する参照オブジェクト（Ｏ）とを含む、少なくとも１つの画像（Ｉ，Ｉ＊，Ｉ＊＊）を準備する工程と、
前記コンピュータを用いて、前記少なくとも１つの画像（Ｉ，Ｉ＊，Ｉ＊＊）上で、前記参照オブジェクト（Ｏ）の寸法と、前記サンプル衣類（Ｃ）の基本的な寸法の一セット（Ｍ１，Ｍ２，Ｍ３，Ｍ４，Ｍ５，Ｍ６）を測定する工程と、
前記コンピュータが、前記画像（Ｉ）上で測定された前記サンプル衣類（Ｃ）の前記基本的な寸法の一セット（Ｍ１，Ｍ２，Ｍ３，Ｍ４，Ｍ５，Ｍ６）の寸法値と、前記画像（Ｉ，Ｉ＊，Ｉ＊＊）上で測定された前記参照オブジェクト（Ｏ）の寸法値と、前記参照オブジェクト（Ｏ）の実際の寸法（Ｍ７，Ｍ８）とから、前記サンプル衣類（Ｃ）の前記基本的な寸法の一セット（Ｍ１，Ｍ２，Ｍ３，Ｍ４，Ｍ５，Ｍ６）の実際の寸法値を計算する工程と、
前記コンピュータが、前記製造される仕立て服（Ｍ）の美的特徴の選択を受け付ける工程と、
前記コンピュータが、前記サンプル衣類（Ｃ）の前記基本的な寸法の一セット（Ｍ１，Ｍ２，Ｍ３，Ｍ４，Ｍ５，Ｍ６）について計算された実際の寸法値と、前記選択された美的特徴とを、仕立て装置（４）に転送する工程と、
前記仕立て装置（４）において、前記仕立て服（Ｍ）を切断し、縫製する一連の操作を行って、前記仕立て服（Ｍ）の基本的な寸法が、前記サンプル衣類（Ｃ）の前記基本的な寸法の一セット（Ｍ１，Ｍ２，Ｍ３，Ｍ４，Ｍ５，Ｍ６）について計算された実際の寸法値に実質的に等しく、前記選択された美的外観を有するように、前記仕立て服（Ｍ）を製造する工程と、
を備えることを特徴とする、方法。
【請求項２】
前記コンピュータが、前記サンプル衣類（Ｃ）の前記基本的な寸法の一セット（Ｍ１，Ｍ２，Ｍ３，Ｍ４，Ｍ５，Ｍ６）の前記実際の寸法値を計算する工程の前に、前記参照オブジェクト（Ｏ）および前記サンプル衣類（Ｃ）の縁部を特定する工程を備え、
前記基本的な寸法の一セット（Ｍ１，Ｍ２，Ｍ３，Ｍ４，Ｍ５，Ｍ６）の前記実際の寸法値の計算は、前記サンプル衣類（Ｃ）の検出された縁部について行われる、
請求項１に記載の方法。
【請求項３】
前記コンピュータが、前記少なくとも１つの画像（Ｉ）上で、前記参照オブジェクト（Ｏ）の前記寸法と、前記サンプル衣類（Ｃ）の前記基本的な寸法の一セット（Ｍ１，Ｍ２，Ｍ３，Ｍ４，Ｍ５，Ｍ６）を測定する工程の前に、前記サンプル衣類（Ｃ）の前記画像（Ｉ）においてコントラストを調節する工程、及び／又は、前記サンプル衣類（Ｃ）を含む前記画像（Ｉ）のボケ補正を行う工程を備え、
前記参照オブジェクト（Ｏ）の前記寸法および前記サンプル衣類（Ｃ）の前記基本的な寸法の一セット（Ｍ１，Ｍ２，Ｍ３，Ｍ４，Ｍ５，Ｍ６）を測定する工程が実行される処理画像を得る、
請求項１または２のいずれかに記載の方法。
【請求項４】
前記コントラストを調節する工程、及び／又は、前記ボケ補正を行う工程は、複数の処理画像を得るために同じ画像について周期的に行われ、それぞれの処理画像が、所定の第１の操作コントラストパラメータ、及び／又は、第２の操作ボケ補正パラメータを用いて得られるものであり、
前記各処理画像から画像を選択する工程をさらに備え、
前記サンプル衣類（Ｃ）の前記基本的な寸法の一セット（Ｍ１，Ｍ２，Ｍ３，Ｍ４，Ｍ５，Ｍ６）の前記実際の寸法値を計算する工程を、前記選択された画像上で実行するか、または、それと同一の選択された画像の処理について実行する、
請求項３に記載の方法。
【請求項５】
前記コンピュータが、前記少なくとも１つの画像（Ｉ）上で、前記サンプル衣類（Ｃ）の前記基本的な寸法の一セット（Ｍ１，Ｍ２，Ｍ３，Ｍ４，Ｍ５，Ｍ６）を測定する工程の前に、
前記画像（Ｉ）について測定された前記参照オブジェクト（Ｏ）の前記寸法と、前記参照オブジェクト（Ｏ）の格納された寸法との比較に基づき、前記画像（Ｉ）のパースペクティブ補正を行う工程を備える、
請求項１から４のいずれか一項に記載の方法。
【請求項６】
前記パースペクティブ補正を行う工程は、前記参照オブジェクト（Ｏ）で測定された前記寸法と、前記参照オブジェクト（Ｏ）の前記格納された寸法との比較に基づき、少なくとも１つの回転軸に沿って前記画像を回転させる工程を備える、
請求項５に記載の方法。
【請求項７】
利用可能な前記画像（Ｉ）は、同一の支持面に配置された前記サンプル衣類（Ｃ）および前記参照オブジェクト（Ｏ）を用いて撮影される、
請求項１から６のいずれか一項に記載の方法。
【請求項８】
前記サンプル衣類（Ｃ）および前記参照オブジェクト（Ｏ）の少なくとも１つの画像（Ｉ）を準備する工程は、前記サンプル衣類（Ｃ）および前記参照オブジェクト（Ｏ）の単一の画像（Ｉ）を準備することを含む、
請求項１から７のいずれか一項に記載の方法。
【請求項９】
前記少なくとも１つの画像（Ｉ）上で、前記参照オブジェクト（Ｏ）の前記寸法と、前記サンプル衣類（Ｃ）の複数の基本的な寸法（Ｍ１，Ｍ２，Ｍ３，Ｍ４，Ｍ５，Ｍ６）とを測定する工程と；
前記サンプル衣類（Ｃ）の前記基本的な寸法の一セット（Ｍ１，Ｍ２，Ｍ３，Ｍ４，Ｍ５，Ｍ６）の前記実際の寸法値を計算する工程とが、プロセッサ（２）で行われる、
請求項１から８のいずれか一項に記載の方法。
【請求項１０】
前記製造される仕立て服（Ｍ）の前記美的特徴の選択を受け付ける工程において、インターフェース（３）を介してプロセッサ（２）に存在するデータベースから前記仕立て服（Ｍ）の前記美的特徴の選択を受け付ける、
請求項１から９のいずれか一項に記載の方法。
【請求項１１】
前記製造される仕立て服（Ｍ）の前記美的特徴の選択を受け付ける工程において、前記コンピュータに、望ましい美的特徴を有するさらなる衣類（Ｅ）のさらなる画像（Ｉ２）を準備し、
前記転送する工程において、前記さらなる画像（Ｉ２）または前記さらなる画像から抽出される情報を前記仕立て装置（４）に転送し、
前記製造する工程において、美的外観が前記さらなる衣類（Ｅ）と実質的に等しい仕立て服（Ｍ）を製造する、
請求項１から９のいずれか一項に記載の方法。
【請求項１２】
前記参照オブジェクト（Ｏ）が、クレジットカードまたはショッピングカードまたは銀行のデビットカードである、
請求項１から１１のいずれか一項に記載の方法。
【請求項１３】
ユーザに仕立て服（Ｍ）を製造させるためのシステム（１）であって、
切断手段および縫製手段を備える仕立て装置（４）と、
以下の工程を実行可能にする様式で、少なくとも１つのプロセッサ（２）にロードされるように構成された複数の操作命令であって、
製造される仕立て服（Ｍ）と同じ種類のサンプル衣類（Ｃ）と、実際の標準化された寸法を有する参照オブジェクト（Ｏ）とを表す少なくとも１つの撮影された画像（Ｉ）上で、前記参照オブジェクト（Ｏ）の寸法および前記サンプル衣類（Ｃ）の複数の基本的な寸法（Ｍ１，Ｍ２，Ｍ３，Ｍ４，Ｍ５，Ｍ６）を測定する工程と、
前記サンプル衣類（Ｃ）の前記基本的な寸法の一セット（Ｍ１，Ｍ２，Ｍ３，Ｍ４，Ｍ５，Ｍ６）の実際の寸法値を計算する工程であって、
前記少なくとも１つの画像（Ｉ）で測定された前記サンプル衣類（Ｃ）の前記基本的な寸法の一セット（Ｍ１，Ｍ２，Ｍ３，Ｍ４，Ｍ５，Ｍ６）の寸法値と、
前記画像（Ｉ）で測定された前記参照オブジェクト（Ｏ）の前記寸法値と、
前記参照オブジェクト（Ｏ）の前記実際の寸法（Ｍ７，Ｍ８）と、
の関数として計算する、前記計算する工程と、
前記製造される仕立て服（Ｍ）の美的特徴を選択する工程と、
前記サンプル衣類（Ｃ）の前記基本的な寸法の一セット（Ｍ１，Ｍ２，Ｍ３，Ｍ４，Ｍ５，Ｍ６）について計算された実際の寸法値と、前記選択された美的特徴とを前記仕立て装置（４）に転送する工程と、
の各工程を実行可能にする複数の操作命令と、を備え、
前記仕立て装置（４）が、前記仕立て装置（４）に転送された前記サンプル衣類（Ｃ）の前記寸法（Ｍ１，Ｍ２，Ｍ３，Ｍ４，Ｍ５，Ｍ６）について実際に計算された値および前記選択された美的特徴に基づいて、前記仕立て服（Ｍ）を切断し、縫製する一連の操作を実行して、前記仕立て服（Ｍ）の基本的な寸法（Ｍ１，Ｍ２，Ｍ３，Ｍ４，Ｍ５，Ｍ６）が、前記サンプル衣類（Ｃ）の前記基本的な寸法（Ｍ１，Ｍ２，Ｍ３，Ｍ４，Ｍ５，Ｍ６）について前回計算された前記実際の寸法値に実質的に同じにするとともに、前記選択された美的外観を有するように、前記仕立て服（Ｍ）を製造する、
ことを特徴とする、システム。
【請求項１４】
前記操作命令の少なくとも一部が、リモートプロセッサ（２）中に存在し、
前記操作命令の少なくとも一部は、前記サンプル衣類（Ｃ）と前記参照オブジェクト（Ｏ）とを表す前記少なくとも１つの画像（Ｉ）をユーザが入力するために利用可能なインターフェース（３）を構成するものである、
請求項１３に記載のシステム。
【請求項１５】
請求項１から１２に記載の方法における前記計測する工程、前記計算する工程、前記受け付ける工程、前記転送する工程を、前記コンピュータに実行させるための命令を含むプログラム。
【発明の詳細な説明】
【技術分野】
【０００１】
本発明は、仕立て服を製造するための方法およびシステムに関する。
【０００２】
衣料分野における強いニーズとして、ユーザがサイズの調整された衣類（例えば、シャツ）を迅速かつ容易に作れるようにするということがある。
【背景技術】
【０００３】
現在のところ、テーラーメイド衣類を得たいと望む注文者は、衣類のために注文者の身体を直接測定する仕立屋または裁縫師の所に個人的に出向いている。
【０００４】
概して、仕立屋または裁縫師は、店舗または他の組織で働いている。
【０００５】
身体測定が行われるとき、注文者は、製造してもらう衣類の他の特徴（襟、スタイル、布地の種類など）も合わせて選択し、仕立屋／裁縫師は、衣類がいつ完成し、届けられるかの調整を行なう。
【０００６】
他の行動として、注文者は、サンプル衣類をスペシャリストがいるセンターに送ることがある。必要な測定は、そのサンプルから直接行われ、その衣類は注文者に直接返却される。
【０００７】
しかし、この行動は面倒であるし、ある期間において特定の衣類なしで注文者は過ごす必要がある。
【０００８】
また、衣類の長さのデータを自動的に得るためのシステムおよび方法であって、衣類を着用しようとしている人の身体写真を撮影することを必要とするシステム及び方法が知られている。
【０００９】
これらのシステムは、比較的複雑であり、ユーザが特定の測定装置（例えば、着用者の身体についての特定の長さ測定装置）に直接入らない場合、得られる衣類のサイズという観点で信頼性が高くない。
【００１０】
また、これらのシステムおよび方法は、衣類を着用しようとする人の存在を必要とせずに（例えば、その人がその場にいることができないため、または、購入者がサプライズギフトを作ることを意図しているため）、仕立てられる衣類のサイズを調整するというニーズを満たさない。
【発明の概要】
【課題を解決するための手段】
【００１１】
本発明は、上述のニーズを満たすことを目的とし、特に、迅速かつ容易な方法で衣類のサイズを調整するというニーズを満たすことを目的とする。
【００１２】
本発明の別の目的は、注文者が店頭に出向かず、すなわち、衣類を着用しようとする人の存在を必要とすることなく、衣類のサイズを迅速かつ容易に調整することである。
【図面の簡単な説明】
【００１３】
本発明の技術的特徴は、上述の目的を参照しつつ、添付の特許請求の範囲で明確に記載され、その利点は、本発明の好ましい非限定的な例である実施形態を示す添付図面を参照しつつ、以下の詳細な記載からさらに明らかにされる。
【図１】本発明に係る衣類を製造するためのシステムの好ましい実施形態の模式図
【図２】サンプル衣類の模式図
【図３】本発明に係る衣類を製造するためのシステムのさらなる実施形態の模式図
【発明を実施するための形態】
【００１４】
本発明は、ユーザに、サイズが調整された衣類Ｍを製造させるための方法およびシステム１を定義する。
【００１５】
最初に、ユーザに仕立て服Ｍを製造させることができ、ユーザに仕立て服Ｍを製造させるために本発明の方法を実行することができるシステム１が記載される。
【００１６】
ユーザに、サイズが調整された衣類Ｍを製造させるためのシステム１は、
衣類を切断し、縫製するための手段を備える仕立て装置と；
以下の工程または操作：
製造される仕立て服Ｍと同じ種類のサンプル衣類Ｃを表し（含み）、さらに、実際の標準化された（既知の）寸法を有する参照オブジェクトＯを表す少なくとも１つの撮影された（受信された）画像Ｉ上で、参照オブジェクトＯの寸法およびサンプル衣類Ｃの複数の基本的な寸法（Ｍ１，Ｍ２，Ｍ３，Ｍ４，Ｍ５，Ｍ６）を測定し；
サンプル衣類Ｃの基本的な寸法の一セット（Ｍ１，Ｍ２，Ｍ３，Ｍ４，Ｍ５，Ｍ６）の実際の寸法値を、
少なくとも１つの画像Ｉで測定されたサンプル衣類Ｃの基本的な寸法の一セット（Ｍ１，Ｍ２，Ｍ３，Ｍ４，Ｍ５，Ｍ６）の寸法値、
画像Ｉで測定された参照オブジェクトＯの寸法値、および
参照オブジェクトＯの実際の寸法（Ｍ７，Ｍ８）についての情報
の関数として計算する工程または操作；
製造される仕立て服Ｍの美的特徴を選択する工程または操作；
サンプル衣類Ｃの基本的な寸法の一セット（Ｍ１，Ｍ２，Ｍ３，Ｍ４，Ｍ５，Ｍ６）について計算された実際の値と、選択された美的特徴とを、仕立て装置４に転送する工程または操作を行わせるような様式で、少なくとも１つのプロセッサ２にロードされるように構成された複数の操作命令とを含む。
【００１７】
その基本的な寸法（Ｍ１，Ｍ２，Ｍ３，Ｍ４，Ｍ５，Ｍ６）が、サンプル衣類Ｃの基本的な寸法の実際の値と実質的に等しく、選択された美的外観も有するような仕立て服Ｍを製造するために、仕立て装置４は、転送されたサンプル衣類Ｃの寸法の計算された実際の値および選択された美的特徴に基づき、衣類Ｍを切断し、縫製する一連の操作を行わせるように構成された切断手段および縫製手段を備えている。
【００１８】
なお、「基本的な寸法」との表現は、望ましい衣類を製造するのに必要な本質的な測定値を意味するように使用される。
【００１９】
例えば、シャツの場合には、基本的な寸法は、以下の１つ以上の測定値であってもよい（図２に示すように）。
【００２０】
首周り（Ｍ１）；
肩幅（Ｍ２）；
胸囲（Ｍ３）；
ウエスト（Ｍ４）；
裄丈（Ｍ５）；
袖口周り（Ｍ６）。
【００２１】
なお、撮影された画像は、画像を撮影するために用いられるデバイスの視野内に配置されたサンプル衣類Ｃおよび参照オブジェクトを含む、ユーザによって撮影された写真である。
【００２２】
また、「標準的な寸法を有するオブジェクト」という表現は、寸法が既知であり、異なる標本間で実質的に同一のオブジェクトを意味する。
【００２３】
さらに具体的には、標準的な寸法を有するオブジェクトは、異なるブランドのものであっても、異なる標本間で同じ寸法を有する。
【００２４】
好ましくは、オブジェクトＯは、銀行のデビットカードであってもよい。
【００２５】
好ましくは、オブジェクトＯは、標準的な大きさのシートであってもよい（例えば、Ａ４サイズのシート）。
【００２６】
さらに好ましくは、オブジェクトＯは、既知で所定の幾何パターンに従って配置された複数の参照（ドット／ライン）を有する平坦な要素を含んでいてもよい。
【００２７】
なお、本発明の好ましい実施形態において、ユーザは、サンプル衣類Ｃと参照オブジェクトＯの写真を撮る。
【００２８】
写真は、カメラ、スマートフォン、タブレットを用いて撮られてもよく、もっと一般的には、写真を撮影することができる任意のデバイスを用いて撮られてもよい。
【００２９】
好ましくは、参照オブジェクトＯは、銀行のデビットカード、クレジットカードまたはショッピングカードである（添付の図面に、わざと拡大して示している）。
【００３０】
なお、もっと一般的な観点において、参照オブジェクトＯは、寸法が標準化され（すなわち、異なる標本間で同じであり）、既知の任意のオブジェクトＯである。
【００３１】
さらに、なお、本発明の方法によれば、サンプル衣類Ｃおよび参照オブジェクトＯは、同じ画像Ｉ中に存在する。
【００３２】
この態様によれば、参照オブジェクトＯは、通常は、参照オブジェクトＯとサンプル衣類Ｃの両方を含む写真を撮影するように、サンプル衣類Ｃに近接して（好ましくは、接して）配置される。
【００３３】
画像撮影中、参照オブジェクトＯは、好ましくは、必須ではないが、サンプル衣類Ｃと同じ焦点面に置かれる。
【００３４】
サンプル衣類Ｃは、好ましくは、支持面に置かれ、参照オブジェクトＯは、同じ支持面に置かれる。さらになお好ましくは、参照オブジェクトＯは、サンプル衣類Ｃの上に置かれる（図１に示すように）。
【００３５】
さらに、なお、サンプル衣類Ｃは、寸法がエンドユーザに最適の（つまり、その基本的な寸法（Ｍ１，Ｍ２，Ｍ３，Ｍ４，Ｍ５，Ｍ６）が、製造される仕立て服Ｍのための参照を規定する）衣類である。
【００３６】
従って、製造される仕立て服Ｍの寸法は、サンプル衣類Ｃの寸法と実質的に同じであろう。
【００３７】
撮影された画像Ｉ上で、参照オブジェクトＯの寸法およびサンプル衣類Ｃの基本的な寸法の一セット（Ｍ１，Ｍ２，Ｍ３，Ｍ４，Ｍ５，Ｍ６）を測定する操作は、画像中に存在するこの２つのオブジェクト、すなわち、参照オブジェクトＯおよびサンプル衣類Ｃの特定の測定を画像Ｉから行うことを含む。
【００３８】
なお、参照オブジェクトＯの寸法は、好ましくは、以下にもっと詳細に記載されるように、サンプル衣類Ｃの基本的な寸法の一セット（Ｍ１，Ｍ２，Ｍ３，Ｍ４，Ｍ５，Ｍ６）を測定する前に測定される。
【００３９】
従って、これらの操作は、画像Ｉから参照オブジェクトＯおよびサンプル衣類Ｃを抽出することによって、参照オブジェクトＯおよびサンプル衣類Ｃの特定の測定を行うことを伴う（これらの測定値は、好ましくは、ピクセルで表現される）。
【００４０】
さらに具体的には、これらの測定操作中、少なくとも、サンプル衣類Ｃの基本的な寸法（Ｍ１，Ｍ２，Ｍ３，Ｍ４，Ｍ５，Ｍ６）の測定は、画像Ｉから行われる。
【００４１】
従って、この測定工程（２つのオブジェクト、すなわち、サンプル衣類Ｃおよび参照オブジェクトＯ上で、同時に、またはそれぞれ連続した段階で行われてもよい）によって、参照オブジェクトＯおよびサンプル衣類Ｃの測定値を引き出すことができる。
【００４２】
この方法は、さらに、サンプル衣類Ｃの実際の寸法（すなわち、サンプル衣類Ｃの現実の測定値）が計算される計算工程を含む。
【００４３】
なお、「実際の寸法」という表現は、オブジェクトの現実の測定値（長さ測定の任意の適切な単位、例えば、メートルまたはインチで表現される）を意味するように使用される。
【００４４】
サンプル衣類Ｃの基本的な寸法の一セット（Ｍ１，Ｍ２，Ｍ３，Ｍ４，Ｍ５，Ｍ６）の実際の寸法値を計算する工程は、少なくとも以下の３つの異なる項目の情報を（これらの項目の情報を、計算工程の前の工程、例えば、後で計算が行われる中間画像を準備する工程で使用することもできるため、直接的または間接的に）用いることを伴う。
【００４５】
画像Ｉで測定されたサンプル衣類Ｃの基本的な寸法の一セット（Ｍ１，Ｍ２，Ｍ３，Ｍ４，Ｍ５，Ｍ６）の寸法値、
画像Ｉで測定された参照オブジェクトＯの寸法値、
実際の寸法（Ｍ７，Ｍ８）、すなわち、参照オブジェクトＯの現実の測定値についての情報。
【００４６】
なお、画像Ｉで測定される参照オブジェクトＯの寸法値と、参照オブジェクトの実際の寸法（すなわち、現実の測定値）についての情報とを比較することによって、「実際の値」、すなわち、（参照オブジェクトＯが置かれる焦点面における）画像の各ピクセルの幅および長さの現実の値を計算することができる。
【００４７】
言い換えると、画像Ｉで測定された参照オブジェクトＯの寸法値に関する情報と、参照オブジェクトＯの実際の寸法（すなわち、現実の測定値）に関する情報を比較し、この画像から撮影された（撮られた）測定値（ピクセル単位）を、実際の寸法、すなわち、現実の測定値（メートル、インチまたは他の測定単位）を用いて補正することができる１つ以上のパラメータを計算する。
【００４８】
このパラメータ／これらのパラメータは、好ましくは、画像Ｉの２つの直交方向（長さあおよび幅）に沿って計算することができる。
【００４９】
このパラメータ／これらのパラメータを使用し、画像Ｉで測定されたサンプル衣類Ｃの寸法（ピクセルで表現される）に基づき、サンプル衣類Ｃの基本的な寸法の一セット（Ｍ１，Ｍ２，Ｍ３，Ｍ４，Ｍ５，Ｍ６）の実際の寸法（すなわち、現実の測定値）を計算する。
【００５０】
なお、好ましくは、システム１は、仕立て服Ｍを製造するために必要なサンプル衣類Ｃの寸法、特に、これらの寸法（Ｍ１，Ｍ２，Ｍ３，Ｍ４，Ｍ５，Ｍ６）のいくつかのみ（基本的な寸法と呼ばれる）を計算するように構成される。
【００５１】
製造される仕立て服Ｍの美的特徴（襟、布地、付属品など）を選択する工程は、異なる代替的な様式で行うことができる。
【００５２】
これらの美的特徴は、非限定的な例として、襟、布地の種類、付属品および製造される衣類の他の特徴を含む。
【００５３】
第１の可能な代替例において、ユーザは、データベースから（すなわち、カタログから）美的特徴を選択する。
【００５４】
このデータベースは、インターフェース３から入手可能であり、衣類Ｍをカスタマイズするための情報を含む。
【００５５】
従って、この態様によれば、本発明のシステム１は、カスタマイズ情報を含むデータベースと、ユーザに、このデータベースからカスタマイズ情報を選択させるように構成された命令とを含む。
【００５６】
このデータベースは、好ましくは、リモートプロセッサ２中に存在する。
【００５７】
第２の可能な代替例（図３に示される）において、ユーザは、以下に記載される様式で美的特徴を選択する。
【００５８】
ユーザは、望ましい美的特徴を有するさらなる衣類Ｅのさらなる画像Ｉ２を（例えば、写真を撮ることによって）撮影する。
【００５９】
望ましい美的特徴を有するさらなる衣類Ｅは、サンプル衣類Ｃと同じ種類である（例えば、両方ともシャツである）。しかし、衣類Ｅは、同じ大きさである必要はなく、すなわち、製造される衣類Ｍより小さくてもよく、または大きくてもよい。
【００６０】
このことは、ユーザが、最終的な衣類Ｍが最終的にどのように見えるかを実際に自由に選択することによって、高いレベルのカスタマイズ化が得られることを意味する。
【００６１】
この態様によれば、美的外観がさらなる衣類Ｅと実質的に同じ衣類Ｍを製造するために、さらなる画像Ｉ２、または、さらなる画像Ｉ２からの情報を仕立て装置４に送る（図３に示されるように）。
【００６２】
図１を参照しつつ、本発明のシステム１の好ましい実施形態を以下に記載する。
【００６３】
好ましくは、上に記載される操作命令は、プロセッサ２中に存在する。
【００６４】
さらになお好ましくは、上に記載される操作命令は、リモートプロセッサ２（ユーザＵと離れているという観点でリモートである）中に存在する。
【００６５】
好ましくは、命令の少なくとも一部が、ユーザがインターフェース３にアクセスし、
製造される仕立て服Ｍと同じ種類のサンプル衣類Ｃと、標準化され、既知の実際の寸法を有する参照オブジェクトＯとを表す画像Ｉの入力；
製造される仕立て服Ｍの美的特徴の選択（望ましい美的特徴を有する参照衣類を含むさらなる衣類Ｉ２を用いない場合）
が可能になるように構成される。
【００６６】
なお、ユーザは、ＰＣ、スマートフォン、タブレットまたは他の同様の電子機器を介してリモートサーバ２に接続し、リモートプロセッサ２のインターフェース３に撮影された画像Ｉを入力する。
【００６７】
ユーザは、好ましくは、ＰＣ、スマートフォン、タブレットまたは他の同様の電子機器を介してリモートサーバ２に接続し、美的特徴も選択する。
【００６８】
さらに、命令の同じ部分が、好ましくは、（好ましくは、ユーザネームおよびパスワードを入力するためのフィールドを表示することによって）、ユーザがインターフェース３を介してログインすることができるように構成される。
【００６９】
本発明の利点の１つは、ユーザの身体から直接的に測定を行うために、ユーザがスペシャリストまたは店舗に個人的に出向く必要なく、ユーザに仕立て服Ｍを製造させるシステム１を提供することである。（ユーザが、有利には、第三者にサプライズギフトとして仕立て服を製造することができることを意味する）。
【００７０】
要するに、上に記載した手順によって、特に簡単で正確な様式で、サンプル衣類Ｃの画像Ｉから直接的に測定が行われる。
【００７１】
さらに、標準化された参照オブジェクトＯ、例えば、クレジットカードまたは銀行のデビットカードを使用すると、高い正確度を維持しつつ、サンプル衣類Ｃの基本的な寸法（Ｍ１，Ｍ２，Ｍ３，Ｍ４，Ｍ５，Ｍ６）を得るのが特に簡単になる。
【００７２】
仕立て服Ｍを製造するためのシステム１は、シャツを製造するために（すなわち、シャツの大きさを調整するために）特に適している。
【００７３】
システム１は、大きさを調整して履物を製造するために使用することもできる。この場合、サンプル衣類Ｃの代わりに、サンプル靴または他の履物物品を使用するだろう。
【００７４】
さらに、ユーザに仕立て服Ｍを製造させることができ、
製造される仕立て服Ｍと同じ種類のサンプル衣類Ｃおよび標準化され、既知の実際の寸法（Ｍ７，Ｍ８）を有する参照オブジェクトＯの少なくとも１つの画像Ｉを準備する工程と；
少なくとも１つの画像Ｉ上で、参照オブジェクトＯの寸法およびサンプル衣類Ｃの基本的な寸法の一セット（Ｍ１，Ｍ２，Ｍ３，Ｍ４，Ｍ５，Ｍ６）を測定する工程と；
サンプル衣類Ｃの基本的な寸法の一セット（Ｍ１，Ｍ２，Ｍ３，Ｍ４，Ｍ５，Ｍ６）の実際の寸法値を、
画像Ｉで測定されたサンプル衣類Ｃの基本的な寸法の一セット（Ｍ１，Ｍ２，Ｍ３，Ｍ４，Ｍ５，Ｍ６）の寸法値、
画像Ｉで測定された参照オブジェクトＯの寸法値、
参照オブジェクトＯの実際の寸法（Ｍ７，Ｍ８）
の関数として計算する工程と；
製造される仕立て服Ｍの美的特徴を選択する工程と；
サンプル衣類Ｃの基本的な寸法の一セット（Ｍ１，Ｍ２，Ｍ３，Ｍ４，Ｍ５，Ｍ６）の計算された実際の寸法値と、選択された美的特徴とを、仕立て装置４に転送する工程と；
仕立て装置４において、仕立て服Ｍを切断し、縫製する一連の操作を行って仕立て服Ｍを製造する工程とを含み、その基本的な寸法が、サンプル衣類Ｃの基本的な寸法の一セット（Ｍ１，Ｍ２，Ｍ３，Ｍ４，Ｍ５，Ｍ６）について前回計算された実際の寸法値に実質的に等しく、選択された美的外観も有する方法が本発明で定義される。
【００７５】
なお、衣類が完成した後、ユーザに衣類を送る工程が続く。
【００７６】
従って、好ましくは、製造された衣類は、パッケージ６に入れられ、ユーザによって明記された住所に送られる。
【００７７】
または、衣類は、ユーザによって選択された店舗から集められてもよい。
【００７８】
なお、切断し、縫製する操作は、完全に自動化された様式で行われてもよく、または、１つ以上の切断工程および／または縫製工程が手動で行われてもよい。
【００７９】
画像上で、サンプル衣類Ｃの測定を特に信頼性高く行う、本発明のシステム１および方法のさらなる具体的な態様を以下に記載する。
【００８０】
好ましくは、少なくとも１つの画像Ｉ上で、サンプル衣類Ｃの基本的な寸法の一セット（Ｍ１，Ｍ２，Ｍ３，Ｍ４，Ｍ５，Ｍ６）を測定する工程の前に、画像Ｉを予備的に処理する工程が存在する。
【００８１】
画像Ｉを予備的に処理する工程は、所定のグラフィカルフォーマット（好ましくは、ＪＰＧフォーマット）に画像を変換する工程を含んでいてもよい。
【００８２】
さらに、さらになお好ましくは、画像Ｉが、ＥＸＩＦデータが関連するフォーマット（ＲＡＷ、ＮＥＦ）で与えられる場合、この方法は、画像を、後の段階で、ＥＸＩＦデータの関数として修正することができるように、ＥＸＩＦデータを抽出する工程を含んでいてもよい。
【００８３】
次いで、この方法は、参照オブジェクトＯ（および画像Ｉ中に存在するサンプル衣類Ｃ）の縁部を特定する工程を含む。
【００８４】
縁部を特定する工程は、（ユーザによって与えられた）画像Ｉをグレースケールに変化する予備的な工程を含む。
【００８５】
縁部を特定する工程は、コントラストフィルタ（好ましくは、「バイナリスレッショルド」フィルタ）を、ユーザによって提供された画像Ｉ（または、ユーザによって提供された画像から誘導された画像、例えば、グレースケールに変換された画像）に適用する工程も含む。
【００８６】
さらに、好ましくは、縁部を特定する工程は、ボケ補正フィルタ（好ましくは、「メディアンボケ補正」フィルタおよび／または「Ｇａｕｓｓｉａｎボケ補正」フィルタ）を、ユーザによって提供された画像Ｉ（または、ユーザによって提供された画像から誘導された画像、例えば、グレースケールに変換された画像）に適用する工程も含む。
【００８７】
有利には、ボケ補正フィルタを適用する工程によって、参照オブジェクトＯを特定するその後の工程で得られる結果が良くなる。要するに、ボケ補正フィルタによって、「ノイズ」が減少した画像を得ることができ、その結果、オブジェクトＯおよびサンプル衣類Ｃの縁部をもっと簡単に特定することができる。
【００８８】
なお、コントラストフィルタおよびボケ補正フィルタを適用し、好ましくは、コントラストフィルタの最大コントラスト（２５５から０まで）およびボケ補正フィルタの振幅（最大から最小までのボケ補正値）のサイクルのそれぞれの繰り返しで変動させつつ、周期的に適用する。
【００８９】
実際には、この方法は、コントラストフィルタおよびボケ補正フィルタを複数回繰り返して適用することを含み、コントラストフィルタおよびボケ補正フィルタは、同じ最初の画像に適用され、それぞれの繰り返しで、コントラストフィルタおよび／またはボケ補正フィルタの１つ以上の制御パラメータを異なる値に設定する。
【００９０】
コントラストフィルタおよび／またはボケ補正フィルタの異なる制御パラメータを用いて複数の繰り返しを行うと、複数の処理画像を得ることができ、この画像から、その後の縁部を検出する工程のための最適な画像を選択することができる。
【００９１】
従って、この方法は、複数の処理画像を得るためにコントラストフィルタおよびボケ補正フィルタを周期的に適用する工程を備え、それぞれの処理画像は、コントラストフィルタの所定の第１の操作パラメータおよびボケ補正フィルタの所定の第２の操作パラメータを用いて得られる。この方法は、さらに、これらの処理画像から画像を選択する工程と、選択された画像上で、またはその同じ選択された画像の処理について、サンプル衣類Ｃの基本的な寸法の測定値（Ｍ１，Ｍ２，Ｍ３，Ｍ４，Ｍ５，Ｍ６）のセットの実際の寸法値を計算することを行う工程とを含む。
【００９２】
従って、この方法は、複数の処理画像から画像を選択する工程を含む。
【００９３】
なお、この方法によれば、縁部を検出する工程は、（参照オブジェクトＯおよびサンプル衣類Ｃ）の縁部を検出するためのフィルタ、すなわち、縁部検出フィルタを適用する工程を含む。
【００９４】
実際には、縁部検出フィルタは、（コントラストフィルタおよび／またはボケ補正フィルタが適用された）処理画像、または、元々の画像において、ポリゴンおよび／または閉じられた曲線に概算されてもよい画像中に存在するオブジェクトの縁部を検出することができる。
【００９５】
好ましくは、本発明を限定しないが、縁部検出フィルタは、Ｃａｎｎｙフィルタである。
【００９６】
上述のサイクルによって縁部を正確に検出することができない場合、この方法は、縁部から中央部に向かって画像の一部を切り落とす工程を含む。
【００９７】
上述のコントラストフィルタおよびボケ補正フィルタを適用する工程および縁部を検出する工程は、この切り落とされた画像について行われる。
【００９８】
なお、この方法は、さらに、処理画像（すなわち、縁部検出フィルタが適用された画像）中の参照オブジェクトＯを特定する工程を含む。
【００９９】
この目的のために、この方法は、画像中で検出されるオブジェクトから参照オブジェクトを特定するために、画像中で検出されたオブジェクトの幾何形状と、メモリに保存されている参照オブジェクトＯの幾何形状とを比較することを伴う。
【０１００】
（例えば、画像中に存在しないため、またはバックグランドに対するコントラストが十分に高くなく、特定が妨げられるために）参照オブジェクトを特定することができない場合、本方法のこの実施形態は、すでに使用されたものから、異なる操作パラメータを用いてコントラストフィルタおよびボケ補正フィルタのサイクルを再び繰り返し、このフィルタを用い、処理画像中の参照オブジェクトＯを特定する工程を繰り返すことを伴う。
【０１０１】
次に、参照オブジェクトが正しく特定される場合、この方法は、処理画像中に存在するサンプル衣類Ｃを特定する工程を含む。
【０１０２】
この目的のために、この方法は、この画像中で特定されたオブジェクトと、メモリに保存されたサンプル衣類Ｃの幾何形状とを比較する工程を含んでいてもよい。
【０１０３】
このように、サンプル衣類Ｃの幾何形状が得られ、これを使用し、仕立て服を得るための（関連する物の）基本的な測定値を誘導することができる。
【０１０４】
実際には、この方法は、画像中のサンプル衣類Ｃのプロフィール（縁部）を特定する工程を含む。
【０１０５】
なお、基本的な測定値を実際に計算する前に、この方法は、画像のパースペクティブ補正を行う工程を含んでいてもよい。
【０１０６】
なお、このパースペクティブ補正を行う工程において、画像に適用されるパースペクティブ補正を得るために、画像から得られる参照オブジェクトＯの幾何形状（縁部）を、メモリに保存された参照幾何形状（縁部）と比較する。
【０１０７】
この比較は、さらに具体的には、画像から得られる参照オブジェクトの１つ以上の寸法と、メモリに（例えば、データベースに）保存された参照オブジェクトの１つ以上の対応する理論的な寸法とを比較することを伴う。
【０１０８】
この比較は、好ましくは、画像から得られる参照オブジェクトの寸法値の１つ以上の関数（比率）と、メモリに保存された寸法の参照値（例えば、高さおよび幅）とを比較することを含んでいてもよい。
【０１０９】
例えば、ある具体的な実施形態は、画像から得られる参照オブジェクトＯの高さと幅の比率と、メモリに保存された高さと幅の比率とを比較する工程を含む。
【０１１０】
これらの比率（画像から得られた比率と、メモリに保存された比率）が異なる場合、参照オブジェクトが、画像撮影デバイスの光学軸に対して正しい角度の面上に置かれていないことを示すだろう。
【０１１１】
パースペクティブ補正を行う工程において、この方法は、上述の比較結果の関数として得られる、（画像から得られる参照オブジェクトの１つ以上の寸法と、メモリに保存された参照オブジェクトの１つ以上の対応する寸法の差が最小になるように）補正された画像を作成する工程を含む。
【０１１２】
実際には、撮影エラー（サンプル衣類Ｃおよび参照オブジェクトＯが、画像撮影デバイスの光学軸に対して正しい角度の表面に置かれていない）または画像撮影デバイスの光学特性に起因する歪みを補正するような様式で、処理画像または撮影された画像を（１つ以上の平面で、すなわち、１つ以上の軸に沿って）回転させる。
【０１１３】
好ましくは、画像を画像自体の中心に沿って回転させる。
【０１１４】
なお、この工程において、元々の画像を補正された画像に変換するために、元々の画像と補正された画像との比較から、各ピクセルに適用すべき補正データを含むパースペクティブ補正マトリックスが誘導される。
【０１１５】
なお、補正された画像上で、測定されるオブジェクトの縁部上の点の間の距離を測定することができ、すなわち、衣類Ｃの測定を行うことができる。
【０１１６】
なお、補正された画像上で、任意のセグメントを測定することができる。
【０１１７】
なお、画像撮影中、参照オブジェクトＯは、好ましくは、画像Ｉの中央部にある。
【０１１８】
さらに、なお、本発明の方法によれば、参照オブジェクトＯおよびサンプル衣類Ｃは、好ましくは、同じ撮影面に配置される。
【０１１９】
衣類Ｃの撮影された測定値を参照しつつ、衣類がシャツである場合、これらの測定値は、好ましくは、以下のものである。
【０１２０】
襟の左側および右側にある閉じられた線上の凹角の点。その中点が、襟の基材中心であり、ここから線がシャツの裾部分の縁に垂直に引かれ、シャツの長さを得ることができるセグメントを与えるように繋ぐことができる。
【０１２１】
左側の袖口の中点。上に述べた襟の基材の中点に繋げば、袖の長さに対応するセグメントを与える。
【０１２２】
胸囲測定のセグメントを描くために繋ぐことができる、右および左の脇の下の閉じられた線上の凹角の点。
【０１２３】
シャツの裾部分測定のセグメントを描くために繋ぐことができる、右側と左側のベースラインとなる点。
【０１２４】
シャツ本体の縁部と、ウエスト測定におおよそ対応するセグメントを描くために繋ぐことができる、裾部分から約１／３上がった長さセグメントに垂直な部分との交差点の右側および左側の点。
【０１２５】
好ましくは、サンプル衣類Ｃおよび参照オブジェクトＯの少なくとも１つの画像Ｉを準備する工程は、サンプル衣類Ｃおよび参照オブジェクトＯの１つの画像Ｉを準備することを含む。
【０１２６】
さらに、別の態様によれば、サンプル衣類Ｃおよび参照オブジェクトＯの少なくとも１つの画像をプロセッサ２に転送する工程も存在する。
【０１２７】
さらに、この態様によれば、少なくとも１つの画像Ｉ上で、参照オブジェクトＯの寸法およびサンプル衣類Ｃの基本的な寸法の一セット（Ｍ１，Ｍ２，Ｍ３，Ｍ４，Ｍ５，Ｍ６）を測定する工程、およびサンプル衣類Ｃの基本的な寸法（Ｍ１，Ｍ２，Ｍ３，Ｍ４，Ｍ５，Ｍ６）の実際の寸法値を計算する工程は、プロセッサ２で行われる。
【０１２８】
さらに別の態様によれば、製造される仕立て服Ｍの美的特徴を選択する工程は、データベースから仕立て服Ｍの美的特徴を選択することを含む。
【０１２９】
なおさらなる態様によれば、製造される仕立て服Ｍの美的特徴を選択する工程は、
参照となる美的特徴を有するさらなる衣類Ｅのさらなる画像Ｉ２を準備するさらなる工程と；
美的外観が、参照となる美的特徴を有するさらなる衣類Ｅと実質的に同じ衣類を製造するために、さらなる画像Ｉ２、またはこのさらなる画像Ｉ２から誘導される情報を仕立て装置４に転送するさらなる工程とを含む。
【０１３０】
本発明の方法およびシステム１によって、仕立て服を製造するプロセスをかなり単純化することができ、サイズを調整され、カスタマイズされた衣類を得ることができることは、きわめて明らかである。
【０１３１】
上述の方法を実施するように構成された複数の命令を含む情報科学技術製品も定義される。
【図１】
0006294336.tif 000002
【図２】
0006294336.tif 000003
【図３】
0006294336.tif 000004